(57)【要約】【課題】加熱中に飲料容器の急激な内圧変化で容器が変形するのを防いで中身飲料を効率よく加熱でき、併せて加熱室への飲料容器の搬入，保持，飲料攪拌が簡単な機構で対応できるように温水吹きつけ方式の加熱装置を改良する。【解決手段】室内に温水噴射ノズル１５，商品（缶入り飲料）９の飲料容器を保持するモータ駆動式の回転グリッパ１３備えた加熱室３、該加熱室に商品を送り込む搬送機構４、温水タンク５、送水ポンプ６、循環送水管路７からなり、指令に基づき商品（常温保管）を加熱室に搬入し、温水タンクから送水した高温水を飲料容器に噴射して加熱するようにしたものにおいて、前記加熱室を縦向き配置として、搬送手段により下方から加熱室内に搬入した商品を直立姿勢に保持して空気と中身飲料とが上下に分離するようにし、この状態で商品を回転して飲料を攪拌しつつ容器の周面に噴射ノズルから高温水を吹きつけて加熱する。【選択図】      図１
2005044041.tif 000002
【特許請求の範囲】
【請求項１】
飲料容器の周面に高温水を吹きつけて中身飲料を加熱する方式の容器入り飲料の加熱装置であって、室内に温水噴射手段および飲料容器を定位置に保持して中身飲料を攪拌する手段を備えた加熱室と、該加熱室に飲料容器を送り込む搬送手段と、温水を貯留するヒータ付き温水タンクと、該温水タンクから送水ポンプ，加熱室を経由して温水タンクに戻る温水の循環送水管路とからなり、指令に基づき飲料容器を加熱室に搬入した上で、温水タンクから送水した高温水を飲料容器に噴射して加熱するようにしたものにおいて、
前記加熱室を縦向き配置とし、搬送手段により下方から加熱室内に搬入した飲料商品を直立姿勢に保持し、この状態で飲料容器を回転しつつその周面に高温水を吹きつけて加熱するようにしたことを特徴とする容器入り飲料の加熱装置。
【請求項２】
請求項１に記載の加熱装置において、加熱室が、下面に飲料容器の出入り口を開口したハウジングと、該ハウジングの室内上部に配置して前記出入り口より搬入した飲料容器の頂部を把持する回転式グリッパと、グリッパに連結した駆動モータと、ハウジングの室内周域に分散配置して循環送水管路の温水供給管に接続した温水噴射ノズルを備えた構成になることを特徴とする容器入り飲料の加熱装置。
【請求項３】
請求項２に記載の加熱装置において、ハウジングの底部周域に温水噴射ノズルから放出した温水を集めて循環送水管路の温水排出管に導く排水溝部を形成したことを特徴とする容器入り飲料の加熱装置。
【請求項４】
請求項２に記載の加熱装置において、グリッパが弾性材で作られた碗状のキャップ体になり、該キャップ体を加熱室内に搬入した飲料容器の頂部に被せて把持するようにしたことを特徴とする容器入り飲料の加熱装置。
【請求項５】
請求項４に記載の加熱装置において、キャップ体が中空の二重構造になり、該キャップ体を加熱室内に搬入した飲料容器の頂部に被せた状態で、前記中空空間に加圧エアを導入して飲料容器を把持するようにしたことを特徴とする容器入り飲料の加熱装置。
【請求項６】
請求項２に記載の加熱装置において、グリッパが、上端を揺動支点として放射状に配置した複数本のフィンガーと、各フィンガーを開閉操作するプッシャ式のアクチュエータからなり、加熱室に搬入した飲料容器で前記アクチュエータを押し、これに応動するフィンガーで飲料容器を把持するようにしたことを特徴とする容器入り飲料の加熱装置。
【請求項７】
請求項１に記載の加熱装置において、搬送手段が、飲料容器を直立姿勢に載置保持する回転式テーブルと、該テーブルの支持機構と、飲料容器の搬入位置で加熱室の出入り口を閉塞する蓋板と、これら部材を搭載した昇降機構とからなることを特徴とする容器入り飲料商品の加熱装置。
【請求項８】
請求項７に記載の加熱装置において、テーブルの支持機構が、テーブルの回転軸を鉛直姿勢に案内支持する軸受，ガイド，およびテーブルを上方に押圧付勢する調整ばねを備えていることを特徴とする容器入り飲料の加熱装置。
【請求項９】
請求項８に記載の加熱装置において、調整ばねとしてばね定数の異なる複数の圧縮ばねを用いたことを特徴とする容器入り飲料の加熱装置。
【請求項１０】
請求項１に記載の加熱装置において、温水の循環送水管路に浄水器を備えたことを特徴とする容器入り飲料の加熱装置。
【請求項１１】
請求項１に記載の加熱装置において、温水の循環送水管路に、加熱室をバイパスして温水タンクの貯留水をポンプ経由で循環させるバイパス管路およびその制御弁を付設したことを特徴とする容器入り飲料の加熱装置。
【請求項１２】
請求項１に記載の加熱装置において、温水の循環送水管路に、送水ポンプの吐出口と吸込口との間を結ぶバイパス管路およびその制御弁を付設したことを特徴とする容器入り飲料の加熱装置。
【請求項１３】
請求項１に記載の容器入り飲料の加熱装置を機内に搭載し、商品販売時に商品収納ラックから払出した容器入り飲料商品を前記加熱装置により加熱し、ホット商品として販売することを特徴とする自動販売機。
【発明の詳細な説明】
【０００１】
【発明の属する技術分野】
本発明は、缶，びん，ペットボトル商品などの飲料商品を対象に、その飲料容器に高温水を吹きつけて加熱する容器入り飲料の加熱装置，およびその加熱装置を用いて庫内に常温状態で貯蔵していた商品をホット商品として販売する自動販売機に関する。
【０００２】
【従来の技術】
自動販売機に適用する頭記の容器入り飲料の加熱装置としては、電磁誘導加熱方式，高温水に浸漬する加熱方式のほかに、販売時に庫内の商品収納ラックから払出した缶，びん，ペットボトルなどの容器入り飲料商品を加熱装置に導き、ここで飲料容器に高温水を吹きつけて中身飲料を加熱するようにした方式のものが知られている（例えば、特許文献１参照。）。
【０００３】
上記の特許文献１に開示されている加熱装置は、商品販売時に機内の商品搬出経路から取り込んだ飲料容器を横置姿勢に保持して加熱室内に搬入し、この搬入位置で飲料容器を回転（自転）して中身飲料を攪拌させつつ、加熱室内に備えた噴射ノズルを通じて高温水を飲料容器の周面に吹きつけて加熱するようにしたもので、この加熱室に温水タンク，送水ポンプ，および温水の循環送水管路を組み合わせて加熱装置を構成している。
【０００４】
【特許文献１】
特開２００１−３０７２１３号公報
【０００５】
【発明が解決しようとする課題】
ところで、前記した従来の加熱装置を用いて容器入り飲料を加熱すると、次記のような問題点が発生する。
【０００６】
すなわち、飲料容器を横置姿勢に保持した状態では中身飲料の液面が容器の長手方向に形成され、その液面の上方と飲料容器の周壁との間が空気（または炭酸ガスなど）で満たされた空間となる。この状態で容器を回転させながら容器周面に高温水を吹きつけと、中身飲料と前記空間を満たしている空気との間に比熱の相違によって過渡的に温度差が生じ、この温度差のある媒質が飲料容器の回転によって互いに混ざり合う。
【０００７】
この場合に、缶入りコーヒーのように缶の内圧を多少負圧にして中身飲料を封入した商品では、前記のように飲料容器を回転させながらその周面に高温水を吹きつけると、高温に加熱されて膨張した空気が未だ十分に加熱が進んでない低温の飲料に放熱して収縮し、このために缶内の内圧が局所的に急減変化し、これが基で缶が凹むなどして変形してしまうことがある。
【０００８】
そのほかに、飲料容器を横置姿勢に保持して加熱室内に搬入し、回転させるには、商品の搬送機構，および回転駆動機構が複雑となる問題もある。
【０００９】
そこで、本発明の目的は前記課題を解決し、加熱中に飲料容器の内圧変化で容器が変形するトラブルを防いで中身飲料を効率よく加熱でき、併せて加熱室への飲料容器の搬入，保持，および飲料攪拌が簡単な機構で対応できるように改良した容器入り飲料の加熱装置，およびその加熱装置を用いた自動販売機を提供することにある。
【００１０】
【課題を解決するための手段】
上記目的を達成するために、本発明によれば、温水噴射手段および飲料容器を定位置に保持して中身飲料を攪拌する手段を備えた加熱室と、該加熱室に飲料容器を保持して送り込む搬送手段と、温水を貯留するヒータ付き温水タンクと、該温水タンクから送水ポンプ，加熱室を経由して温水タンクに戻る温水の循環送水管路とを組み合わせた構成になり、指令に基づき飲料容器を加熱室に搬入した上で、温水タンクから送水した高温水を飲料容器に噴射して加熱するようにした加熱方式の容器入り飲料の加熱装置において、
前記加熱室を縦向きに配置し、搬送手段により下方から加熱室内に搬入した飲料商品を直立姿勢に保持し、この状態で飲料容器を回転して中身飲料を攪拌しながら容器の周面に高温水を吹きつけるようにした構成とする（請求項１）。
【００１１】
上記のように加熱室に搬入した飲料容器を直立姿勢に保持することにより、飲料容器に封入されている空気と中身飲料とは上下に分離して空気は全て容器の頂部空間に集まり、液面以下の領域は中身飲料で満たされる。したがって、この直立姿勢を保ったまま飲料容器を回転して中身飲料を攪拌しつつ、その周面に高温水を吹きつけることにより、従来装置のように飲料容器を横置姿勢に保持して周面から高温水を吹きつけた場合に、空気と飲料との混ざり合いに起因して容器内に生じる局所的な内圧の急激変化が発生せず、かつ中身飲料と容器壁面との間の伝熱面積も増して熱貫流効率も向上し、これにより飲料容器の変形のおそれなしに、中身飲料が短時間で効率よく加熱されるようになる。
【００１２】
また、本発明によれば、前記の加熱装置を構成する各部について、次記のような具体的態様で構成することができる。
【００１３】
（１）  加熱室を、下面に飲料容器の出入り口を開口したハウジングと、該ハウジングの室内上部に配置して前記出入り口より搬入した飲料容器の頂部を把持する回転式グリッパと、グリッパに連結した駆動モータと、ハウジングの室内周域に分散して循環送水管路の温水供給管に接続した温水噴射ノズルを配置した構成とし、下方からハウジングに搬入した飲料容器を前記グリッパで直立姿勢に把持し、この状態で駆動モータにより飲料容器を回転しつつ、その周囲から噴射ノズルを通じて高温水を吹きつけて中身飲料を加熱するようにする（請求項２）。
【００１４】
（２）  前記ハウジングの底部周域に循環送水管路の温水排出管に通じる排水溝部を形成し、温水噴射ノズルから放出した温水をこの排水溝部に集めて温水タンクに戻すようにする（請求項３）。
【００１５】
（３）  加熱室内に配したグリッパを弾性材で作られた碗状のキャップ体で構成し、該キャップ体を加熱室内に搬入した飲料容器の頂部に被せて把持し、この状態でモータ駆動により飲料容器を回転して中身飲料を攪拌させるようにする（請求項４）。
【００１６】
（４）  前項（３）  のキャップ体を中空の二重構造とし、該キャップ体を加熱室内に搬入した飲料容器の頂部に被せた状態で、前記中空空間に加圧エアを導入してキャップ体を容器に密着させて飲料容器を把持できるようにする（請求項５）。
【００１７】
（５）  前項（３），（４）  とは異なるタイプのグリッパとして、上端を揺動支点として放射状に配置した複数本のフィンガーと、各フィンガーを開閉操作するプッシャ式のアクチュエータとでグリッパを構成し、加熱室に搬入した飲料容器で前記アクチュエータを押し、これに応動して閉じるフィンガーで飲料容器を把持するようにする（請求項６）。
【００１８】
（６）  一方、飲料容器を加熱室に搬入するための搬送手段は、飲料容器を直立姿勢に載置保持する回転式テーブルと、該テーブルの支持機構と、飲料容器の搬入位置で加熱室の出入り口を閉塞する蓋板と、これら部材を搭載した昇降機構とで構成する（請求項７）ものとし、ここで前記の支持機構は、テーブルの回転軸を鉛直姿勢に案内支持する軸受，ガイド，およびテーブルを上方に付勢して加熱室のグリッパとの間で飲料容器を保持させるようにする調整ばねを備えた構成とする（請求項８）。また、この場合に、前記調整ばねとしてばね定数の異なる複数のばねを直列に組み合わせることにより、高さが異なる各サイズの飲料容器にも対応させることができる（請求項９）。
【００１９】
（７）  さらに、前記の循環送水管路には浄水器を備えて加熱室に供給する温水を浄水器に通して除塵，殺菌処理し、食品衛生の面から飲料容器に吹きつける温水の水質維持を図るようにする（請求項１０）。
【００２０】
（８）  また、前記の循環送水管路に加熱室をバイパスして温水タンクの貯留水をポンプ経由で循環させるようにバイパス管路およびその制御弁を付設しておき、飲料容器を加熱しない待機中に前記バイパス管路を通じて温水タンクに貯留した温水を循環させて温水タンク内の上部と下部との温水温度差を小さく抑え、飲料容器を加熱する際に温水タンクから高温の温水を吐出し供給できるようにする（請求項１１）。
【００２１】
（９）  また、温水の循環送水管路に送水ポンプの吐出口と吸込口との間を結ぶバイパス管路およびその制御弁を付設し、飲料容器の加熱を行わない待機中はポンプの運転を継続したまま前記バイパス管路を通じて温水を循環させておき、飲料容器の加熱指令が与えられた際にバイパス管路の制御弁を切換えることで、ポンプの起動に要する時間を待たずに加熱室への温水供給を即刻開始できるようにする（請求項１２）。
【００２２】
（１０）そして、前記の容器入り飲料の加熱装置を自動販売機に搭載することにより（請求項１３）、商品販売時に商品収納ラックから払出した容器入り飲料商品（常温保存）を前記加熱装置に送り込んで加熱し、短時間での加熱によりホット商品として販売に供することができる。
【００２３】
【発明の実施の形態】
以下、本発明の実施の形態を図示の実施例に基づいて説明する。
【００２４】
先ず、図１に自動販売機に搭載した容器入り飲料の加熱装置の全体構成を示す。図において、１は自動販売機の本体キャビネット、１ａはその前面扉、２は機内に搭載装備した容器入り飲料の加熱装置であり、図示してないがキャビネット１の庫内には商品収納ラックを装備し、ここに缶，びん，ペットボトルなどの容器入り飲料商品（以下、単に「商品」と呼称する）が常温状態で保存されている。そして、商品販売時にホット商品を選択すると、その販売指令に基づき商品収納ラックから払出した商品を後記のように加熱装置の搬送機構に受渡して加熱室に搬入し、ここで飲料容器の周面に高温水を吹きつけて中身飲料がホット飲料としての適温（５５℃程度）になるよう加熱した後、商品を加熱室から取出して商品取出口に送出する。
【００２５】
一方、前記の加熱装置２は、本発明に基づく縦型の加熱室３と、該加熱室３に下方から商品を送り込む昇降式の商品搬送機構４と、ヒータ５ａを内蔵した温水タンク５と、送水ポンプ６と、温水タンク５から送水ポンプ６，加熱室３を経由して温水タンクに戻る温水の循環送水管路７と、加熱室３か引出して温水タンク５との間の配管した排水側管路７ａに介装した浄水器８から構成されている。なお、図中で９は商品（缶入り飲料）、１０は加熱装置の制御装置、１１は温水タンク５に蓄えた温水（温度９５℃程度に加熱されている）である。
【００２６】
次に、前記の加熱装置２の主要部である加熱室３と搬送機構４の詳細構造，動作を図２（ａ）  〜（ｃ）  で説明する。まず、加熱室３は下面に商品９の出入口１２ａが開口した下面開放形のハウジング１２と、該ハウジング１２の室内上部に配置して前記出入口１２ａより搬入した商品９の頂部を把持する回転式グリッパ１３と、該グリッパ１３に回転軸１４ａを介して連結した駆動モータ１４と、グリッパ１３を取り囲むようにハウジング１２の室内周域に分散配置した温水噴射ノズル１５を備えた構成になる。また、ハウジング１２の底部周域には、前記出入口１２の開口面よりも一段低い排水溝部１２ｃを形成し、噴射ノズル１５から放出した温水をこの排水溝部１２ｃに集め、循環送水管路の温水排出管７ａを通じて温水タンク５に戻すようにしている。
【００２７】
ここで、前記のグリッパ１３は、例えばゴムなどの弾性材質で作られた碗状のキャップ体で、加熱室３の下方から直立姿勢でハウジング１２に搬入された商品９の頂部を把持し、駆動モータ１４より商品９を回転させる。また、温水噴射ノズル１５は縦長な管に室内中央に向けて複数の噴射ノズル穴を開口したもので、その上端がハウジング１３の天井板を貫通し、分岐管１５ａを介して循環送水管路の温水供給管７ｂに連通接続されている。
【００２８】
一方、商品の搬送機構４は、商品９を直立姿勢に載置保持する回転式テーブル１６と、該テーブル１６の支持機構１７と、商品９を加熱室３に搬入した位置でハウジング１２の出入口１２ａを閉塞する蓋板１８と、これら部材をアーム１９ａに搭載した昇降機構１９からなり、前記支持機構１７にはテーブル１６の回転支軸１６ａを鉛直姿勢に案内支持するガイド軸受２０，軸シール２１，およびテーブル１６を上方に押圧付勢する調整ばね２２を備えた構成になる。
【００２９】
上記の構成で、搬送機構４は図１で表すように常時は下降位置に待機しており、商品販売時に商品収納ラックから払出した商品９を前記テーブル１６の上に移載して直立姿勢に載置保持し、続いて昇降機構１９が上方に移動して商品９を加熱室３のハウジング１２に搬入する。そして、加熱室５に商品９が搬入されると、前記調整ばね２２のばね付勢によりテーブル１６に載置した商品９の頂部を室内に装備したグリッパ１３に押付けて把持する。同時に、搬送機構４の蓋板１８がハウジング１２の出入口１２ａを閉塞する。続いて、制御装置１０（図１参照）からの指令により、前記の駆動モータ１４が始動してグリッパ１３とテーブル１６との間に挟んで直立姿勢に保持した商品９を回転して中身飲料を攪拌させるとともに、同時に送水ポンプ６が始動して温水タンク５から循環送水管路７を経て加熱室３の温水噴射ノズル１５に温水１１を供給し、噴射ノズル１５から噴出した温水を商品９の容器周面に吹きつけて中身飲料を加熱する。また、加熱室３のハウジング１２内に放出された温水は底部の排水溝部１２ｃに集められ、ここから排水管７ａを通じて温水タンク５に還流する。
【００３０】
なお、商品加熱中における中身飲料の攪拌効果を高めるために、前記の駆動モータ１４の回転方向を正転，逆転を交互に繰り返すように制御するのがよい。
【００３１】
また、加熱室３と温水タンク５との間に介装した浄水器８は、フィルタおよびイオン交換樹脂などを内蔵し、温水タンク５に還流する温水を浄化して食品衛生面から飲料容器に吹きつける温水の水質維持を図るようにしている。
【００３２】
そして、所定の加熱時間が経過すると、グリッパ１３の駆動モータ１４および送水ポンプ６が停止し、続いて昇降機構１９が下降して加熱済みの商品９をテーブル１６に載せたまま加熱室３から引出す。そして、昇降機構１９が待機位置まで下降すると、プッシャ機構などによりテーブル１６に載っている商品を自動販売機の商品取出口に送出する。
【００３３】
次に、加熱室３に配備したグリッパ１３について、いくつかの応用実施例を説明する。まず、図３（ａ），（ｂ）  は本発明の請求項５に対応するグリッパの実施例を示すもので、先記のように弾性材質で作られた碗状のキャップ体１３ａが中空空間１３ａ−１を挟んだ内外二重構造になり、その頂部に結合したヘッダー１３ｂに穿孔した圧力通路１３ｂ−１，１３ｂ−２を通じてキャップ体１３ａの中空空間１３ａ−１および内側空間が圧力制御装置に連通されている。
【００３４】
かかる構成で、図３（ｂ）  のように商品９の頂部にグリッパのキャップ体１３ａを被せた状態で、圧力制御装置よりヘッダー１３ｂの圧力通路１３ｂ−１を通じてキャップ体１３ａの中空空間１３ａ−１に加圧エアを導入すると、キャップ体１３ａはエア圧を受けてその内側の壁面が商品９の容器に密着するようになり、同時にヘッダー１３の圧力通路１３ｂ−２を通じてキャップ体の内方空間を真空引きすると、商品９が確実にキャップ体１３ａに吸着保持されるようになる。
【００３５】
図４（ａ），（ｂ）  は本発明の請求項６に対応する別なタイプのグリッパを示すものである。この実施例では、グリッパ１３が、上端を揺動支点として井桁形ヘッダー１３ｃの周囲に分散して配置した４本のフィンガー１３ｄと、フィンガー１３ｄを一括して開閉操作するプッシャ式のアクチュエータ１３ｅから構成されている。ここで、フィンガー１３ｄは、上端側が連結ピン１３ｄ−１を介してヘッダー１３ｃへ揺動自在に連結されている。また、アクチュエータ１３ｅは、ヘッダー１３ｃを上下に貫通した操作ピン１３ｅ−１と、該操作ピン１３ｅ−１の軸上に貫挿して各フィンガー１３ｄの上端に対峙させた操作板１３ｅ−２と、該操作板１３ｅ−２と操作ピン１３ｅ−１の先端頭部との間に介装した駆動ばね（圧縮コイルばね）１３ｅ−３との組立体からなる。
【００３６】
上記の構成で、常時はフィンガー１３ｄが図示実線位置に開いている。ここで、加熱室に搬入された商品の頂部がアクチュエータ１３ｅの操作ピン１３ｅ−１の頭部に当たって上方に押し上げると、駆動ばね１３ｅ−３を介して操作板１３ｅ−２がフィンガー１３ｄの後端を押し上げる。これにより、フィンガー１３ｄは鎖線で表す閉位置に向け傾動して商品（図示せず）の頂部を把持する。
【００３７】
次に、図２（ｂ）  の搬送機構４で述べた回転式テーブル１６の支持機構１７について、本発明の請求項９に対応する応用実施例を図５で説明する。すなわち、図２の実施例ではテーブル１６を上方に付勢する調整ばねとして回転支軸１６ａに１個のコイルばね２２を介装し、商品を加熱室に搬入した際に商品の頂部が先記したグリッパに当たるように押すようにしている。
【００３８】
ところで、飲料商品，例えば缶商品は中身飲料の容量によって缶の長さサイズ，重量が様々であり、ロング缶（５００ｍｌ缶）とショート缶（１９０ｍｌ缶）とでは飲料容器のサイズが大きく異なる。このために、使用する調整ばねが１個のみでは、そのコイルばねの伸縮ストロークにも限りがあってロング缶とショート缶の双方に対応させることが実際には困難である。そこで、この実施例では調整ばね２２のほかに、ばね定数の異なる第２の調整ばね２３を直列に組み合わせて２段の調整ばねでテーブル１６を付勢するようにしており、これによりロング缶およびショート缶のサイズ差を吸収して商品を加熱室のグリッパとの間で直立姿勢に安定保持させることができる。
【００３９】
そのために、図示実施例では調整ばね２２の下側に２枚の調整板２４ａと２４ｂを配したこの間に第２の調整ばね２３を介装し、さらに調整板２４ａ，２４ｂにそれぞれにガイド支柱２５ａ，２５ｂを設けてテーブル１６の回転支軸１６ａを鉛直姿勢に安定支持するようにしている。
【００４０】
次に、図１に示した温水の循環送水管路７に関する応用実施例を図６，図７で説明する。まず、図６は本発明の請求項１１に対応する実施例の循環送水管路を示すものであり、加熱室７をバイパスするように送水ポンプ６の吐出側と加熱室５の排水側管路との間に制御弁（方向切換弁）２６を介してバイパス管路２７を追加装備している。なお、２８は給水弁，２９はドレンコックである。
【００４１】
そして、自動販売機の販売待機時，つまり加熱室３で商品の加熱を行ってない状態で、前記制御弁２８をバイパス管路２７側に切換えてポンプ送水を行うことにより、温水タンク５の貯留水が図示矢印の経路を辿って循環し、タンク内の上層（高温）と下層（低温）の温水を入れ換えて湯温が均温化するようなる。
【００４２】
これにより、長時間の販売待機後に行う商品の加熱動作でも、温水タンク５から温度の低い温水が加熱室３に供給されるのを防いで安定した商品の加熱が行える。また、図示のようにバイパス管路２７を浄水器８の上流側に配管しておくことで、販売待機中でも循環送水による温水の浄化が行える。
【００４３】
一方、図７は本発明の請求項１２に対応する実施例の循環送水管路を示すものであり、送水ポンプ６の吐出側と吸込側との間に制御弁（方向切換弁）３０を介してバイパス管路３１を追加装備している。
【００４４】
この実施例は、商品の販売待機中に送水ポンプ６の運転を停止せずにスタンバイの状態を維持し、次回の販売時にはポンプの起動時間（ポンプを停止状態から起動すると、指令から実際に送水が開始されるまでに時間的な遅れが生じて商品の販売時間が長くなる））を待たずに即刻加熱室への温水供給が開始できるようにしたものであり、販売待機中は前記制御弁３０を切換えて温水をバイパス管路３１に循環送水し、次回の販売指令で制御弁３０を循環送水管路７側に切換えるように運転制御する。これにより、送水ポンプ６の始動に要する時間を待たずに加熱室３に温水供給ができる。
【００４５】
なお、図示実施例では、自動販売機に搭載した加熱装置について説明したが、これに限定されるものではなく、自動販売機以外にも適用できることは勿論である。
【００４６】
【発明の効果】
以上述べたように、本発明によれば、飲料容器の周面に高温水を吹きつけて中身飲料を加熱する方式の容器入り飲料の加熱装置であって、室内に温水噴射手段および飲料容器を定位置に保持して中身飲料を攪拌する手段を備えた加熱室と、該加熱室に飲料容器を送り込む搬送手段と、温水を貯留するヒータ付き温水タンクと、該温水タンクから送水ポンプ，加熱室を経由して温水タンクに戻る温水の循環送水管路とからなり、指令に基づき飲料容器を加熱室に搬入した上で、温水タンクから送水した高温水を飲料容器に噴射して加熱するようにしたものにおいて、前記加熱室を縦向き配置とし、搬送手段により下方から加熱室内に搬入した飲料商品を直立姿勢に保持し、この状態で飲料容器を回転しつつその周面に高温水を吹きつけるようにしたことにより、
飲料容器を横置姿勢に保持してその周面に高温水を吹きつけた従来の加熱方式で発生する内圧の急激変化に伴う飲料容器の変形トラブルを防止することができる。また、中身飲料と容器壁面との間の伝熱面積も増して熱貫流効率も向上し、これにより中身飲料が短時間で効率よく加熱されるようになる。
【００４７】
さらに、加熱室を縦向き配置とし、飲料容器を直立姿勢に搬入して保持するようにしたことで、加熱室への飲料容器の搬入，保持，および飲料の攪拌が簡単な機構で対応できる実益も得られる。
【図面の簡単な説明】
【図１】本発明の容器入り飲料の加熱装置を自動販売機に搭載した実施例を表す加熱装置全体のシステム系統図
【図２】図１における加熱室および搬送機構の詳細構造図で、（ａ）  は加熱室，（ｂ）  は搬送機構，（ｃ）  は商品を加熱室に搬入，保持した状態を表す構成断面図
【図３】図２の加熱室に装備したグリッパに対する応用実施例の構造図で、（ａ），（ｂ）  はそれぞれグリッパ単独，商品の把持状態を表した断面図
【図４】図３とさらに異なる応用実施例のグリッパ構造図で、（ａ），（ｂ）  はそれぞれ側視断面図，および平面図
【図５】図２に示した搬送機構に対する応用実施例のテーブル支持機構を表す構造図
【図６】図１の温水循環送水管路に対する応用実施例を表す配管系統図
【図７】図６とさらに異なる応用実施例を表す配管系統図
【符号の説明】
１    自動販売機の本体キャビネット
２    容器入り飲料の加熱装置
３    加熱室
４    搬送機構
５    温水タンク
６    送水ポンプ
７    温水の循環送水管路
８    浄水器
９    商品（缶入り飲料）
１０    制御装置
１１    温水
１２    ハウジング
１２ａ  出入口
１２ｃ  排水溝部
１３    グリッパ
１３ａ  キャップ体
１３ａ−１  中空空間
１３ｄ  フィンガー
１３ｅ  開閉操作用のアクチュエータ
１４    グリッパの駆動モータ
１５    温水噴射ノズル
１６    回転式テーブル
１７    支持機構
１８    蓋板
１９    昇降機構
２２    調整ばね
２３    第２の調整ばね
２６，３０  制御弁（方向切換弁）
２７，３１  バイパス管路
【図１】
2005044041.tif 000003
【図２】
2005044041.tif 000004
【図３】
2005044041.tif 000005
【図４】
2005044041.tif 000006
【図５】
2005044041.tif 000007
【図６】
2005044041.tif 000008
【図７】
2005044041.tif 000009